(57)【要約】【課題】被施術者の身体の曲線に合わせて可撓性電極を自在に変形させながら効率良く身体内に正弦波を流すようにし、被施術者が痛みを感じることなく楽に施術を受けることができるようにし、施術者にとって施術が容易にすること。【解決手段】電気治療における被施術者の体内に電気的エネルギーを加える際に前記被施術者の身体の表面に接触可能な可撓性導子４０１ａにおいて、可撓性電極４１１は、前記被施術者の身体の表面の曲線に合わせて変形自在である。また、吸水性部材４１２は、所定量の水分を含んだ状態で前記可撓性電極の全体を被覆する。【選択図】図５
2019004938.tif 000002
【特許請求の範囲】
【請求項１】
電気治療における被施術者の体内に電気的エネルギーを加える際に前記被施術者の身体の表面に接触可能な導子であって、
前記被施術者の身体の表面の曲線に合わせて変形自在な可撓性電極と、
所定量の水分を含んだ状態で前記可撓性電極の全体を被覆する吸水性部材と、
を備える、
導子。
【発明の詳細な説明】
【技術分野】
【０００１】
本発明は、電気刺激装置に用いられる導子に関する。
【背景技術】
【０００２】
従来より、柔道整体師等が行う電気刺激装置を用いた施術において、被施術者の身体の表面に接触させながら筋肉に電気的な刺激を与える導子は存在する。
例えば、図４には、従来から存在する導子の一例である導子３０１が示されている。この導子３０１は、金属製の電極３１１に、水分を含ませたタオル３１２を巻き付けることにより導電性を持たせた導子である。このようにして、被施術者の皮膚の電気抵抗を少なくし、かつ通電密度を平均化させ、電極３１１と被施術者の皮膚との間に電流を流し易くする。なお、導子３０１は、水分を含ませたタオルが巻かれていが、ガーゼ、綿等に水分を含ませて、これを電極３１１に巻いて使用する場合もある。
例えばまた、特許文献１には、いわゆるエステティックサロン等における美顔施術手法として、低周波電気治療装置の治療導子の先端に連設した綿棒の先端綿体を、アルミナ粉等を含む混合粉末が分散状態で混入した繊維体により被覆し、このような治療導子を顔面の所定個所に圧着して低周波電気エネルギーにより顔面神経を刺激する手法が提案されている。
【先行技術文献】
【特許文献】
【０００３】
【特許文献１】特開２００３−３３９８８１号公報
【発明の概要】
【発明が解決しようとする課題】
【０００４】
しかしながら、従来から存在する導子（例えば図４の導子３０１）の電極（例えば図４の電極３１１）は、金属製であり硬いため、たとえタオル（例えば図４のタオル３１２）等で被覆したとしても被施術者が痛みを感じてしまうことがある。また、人間の身体の表面は曲線で構成されているのに対し、金属製の電極は表面が平面で構成されているため、導子を効率良く被施術者の身体の表面に密着させることができず、電気エネルギーの伝導効率が悪いという問題点があった。
また、特許文献１のような導子は、被施術者の顔の筋肉のような狭い部分の筋肉に対する刺激を想定しているため、背中の筋肉や臀部の筋肉のような広い部分の筋肉に刺激を与えることを想定していない。
【０００５】
本発明は、このような状況に鑑みてなされたものであり、被施術者の身体のあらゆる部分の曲線に合わせて効率良く身体内に電気エネルギーを流すようにし、被施術者に対しては痛みを感じさせることなく楽に施術を受けることができるようにし、施術者に対しては容易に施術を行なえるようにすることを目的とする。
【課題を解決するための手段】
【０００６】
上記目的を達成するため、本発明の一態様の導子は、
電気治療における被施術者の体内に電気的エネルギーを加える際に前記被施術者の身体の表面に接触可能な導子であって、
前記被施術者の身体の表面の曲線に合わせて変形自在な可撓性電極と、
所定量の水分を含んだ状態で前記可撓性電極の全体を被覆する吸水性部材と、
を備える。
【発明の効果】
【０００７】
本発明によれば、電気治療器を用いた治療において、被施術者の身体のあらゆる部分の曲線に合わせて可撓性電極を自在に変形させながら効率良く身体内に正弦波を流すことが可能となる。また、被施術者としては痛みを感じることなく楽に施術を受けることができるようになる。さらに、施術者としては容易に施術を行うことができるようになる。
【図面の簡単な説明】
【０００８】
【図１】本発明の一実施形態に係る深層筋刺激装置の構成を示す機能ブロック図である。
【図２】図１の正弦波出力部の具体的構成を示す回路図である。
【図３】本発明の他の実施形態に係る深層筋刺激装置の構成を示す機能ブロック図である。
【図４】従来から存在する、被施術者の身体内に電気的エネルギーを流すための導子の外観構成の例を示すイメージ図である。
【図５】正弦波出力部から出力された正弦波を被施術者の身体内に流すための可撓性導子の外観構成の例を示すイメージ図である。
【図６】施術者と被施術者との夫々の身体に導子を貼付する場合の深層筋刺激装置の外観構成の例を示すイメージ図である。
【発明を実施するための形態】
【０００９】
以下、本発明の実施形態について図面を用いて説明する。
（深層筋刺激装置）
図１は、本発明の一実施形態に係る深層筋刺激装置１の構成を示す機能ブロック図である。
【００１０】
図１に示すように、深層筋刺激装置１は、電源部１０と、本体部１１と、導子部１２とを備える。
電源部１０は、交流電源ＡＣより入力された交流電力の電圧を降圧させ、直流電力に変換して出力する。本実施形態では、２重に絶縁されたＡＣアダプタが採用されている。
【００１１】
本体部１１は、操作部１０１と、制御部１０２と、正弦波出力部１０３とで構成されている。
操作部１０１は、施術者が深層筋刺激装置１を操作するための各種スイッチを備える。また、操作部１０１は、施術者の操作を補助するための文字情報や画像情報等を出力する表示画面を備える。なお、表示画面には、ＬＥＤ（Ｌｉｇｈｔ  Ｅｍｉｔｔｉｎｇ  Ｄｉｏｄｅ）等で構成される表示素子を用いることができる。施術者は、この表示画面を見ながら各種スイッチを操作することにより深層筋刺激装置１を使用することができる。
制御部１０２は、深層筋刺激装置１全体を制御するとともに、施術者による操作部１０１に対する操作の内容に基づいて、正弦波出力部１０３に正弦波を出力させる制御を実行する。
正弦波出力部１０３は、所定の周波数の正弦波の電力を出力する。正弦波出力部１０３により出力された所定の周波数の正弦波は、導子部１２を介して被施術者の身体の深層筋に流される。
【００１２】
ここで、正弦波出力部１０３により出力される正弦波の周波数は、４０Ｈｚ乃至１２０Ｈｚ程度の低周波となっている。また、同じ低周波であっても、一般的な低周波治療器で使用されている低周波のパスル波とは異なり、正弦波出力部１０３により出力される正弦波は、歪率が３０％以下の低周波の正弦波となっている。
このような正弦波は、電流の刺激が表層筋付近で広がり難い性質を有するため、電圧を上げたとしても被施術者の表層筋に与える刺激が少ない。このため、正弦波出力部１０３から出力される正弦波の電圧を、被施術者の身体内の脂肪層を超えて深層筋の最大収縮と弛緩とを行わせることができるレベルまで上げることが可能となる。
例えば、被施術者の臀部及び腹部等の大きな筋肉や、背中の筋肉等に対しても十分な刺激を与えることができる。なお、正弦波出力部１０３の具体的な機能の構成は、図２を参照して後述する。
【００１３】
導子部１２は、正弦波導子２０１ａ及び２０１ｂからなる一対の導子で構成されている。正弦波導子２０１ａ及び２０１ｂは、被施術者の皮膚に接触または着脱可能な状態で貼付された状態で、正弦波出力部１０３から出力された正弦波を被施術者の体内に流す。
【００１４】
次に、上述した正弦波出力部１０３の具体的な構成について説明する。
図２は、図１の正弦波出力部１０３の具体的構成を示す回路図である。
【００１５】
図２に示すように、正弦波出力部１０３は、Ｈブリッジ出力回路Ｈと、波形整形回路Ｗと、出力トランス回路Ｔと、インピーダンス回路Ｚとで構成されている。
Ｈブリッジ出力回路Ｈは、ＰＷＭ（Ｐｕｌｓｅ  Ｗｉｄｔｈ  Ｍｏｄｕｌａｔｉｏｎ）信号に基づいて、交流電源ＡＣから波形整形回路Ｗに供給される電力における電流及び電圧の極性を切り換える。
波形整形回路Ｗは、Ｈブリッジ出力回路Ｈから出力された電力の波形を整形することにより、所定の周波数の正弦波に変換して出力する。
出力トランス回路Ｔは、波形整形回路Ｗにより所定の周波数の正弦波に変換された電力の電圧を昇圧させる。
【００１６】
上述したように、波形整形回路Ｗにより出力される正弦波は、周波数が４０Ｈｚ乃至１２０Ｈｚ程度かつ歪率が３０％以下の低周波の正弦波となっている。このため、出力トランス回路Ｔは、正弦波の電圧を、被施術者の表層筋に対し強い刺激を与えることなく、被施術者の身体内の脂肪層を超えて深層筋の最大収縮及び弛緩を行わせることができるレベルまで昇圧させることができる。
インピーダンス回路Ｚは、被施術者の身体の表面に接触させていた正弦波導子２０１ａ及び２０１ｂを、被施術者の身体の表面から離した際に電圧変動が生じないように電圧を制御する。なお、インピーダンス回路Ｚとしてスナバ回路を接続することもできる。
以上のような構成の正弦波出力部１０３から出力された低周波の正弦波が、正弦波導子２０１ａ及び２０１ｂを介して被施術者の身体内に流されることによって、被施術者の深層筋に十分な刺激を与え、最大収縮と弛緩とを行わせることが可能となる。
【００１７】
図３は、本発明の他の実施形態（即ち、ＤＮＳ変調波を出力する機能をさらに含む実施形態）に係る深層筋刺激装置２の構成を示す機能ブロック図である。
【００１８】
図１を参照して説明した深層筋刺激装置１は、正弦波のみを被施術者の体内に流す構成となっている。しかし、正弦波と共に所定の変調波を被施術者の体内に流すこともできる。例えば、図３に示す深層筋刺激装置２は、正弦波と共に、本出願人が保有する特許第５４２３９５７号の変調波（以下「ＤＮＳ変調波」と呼ぶ）を被施術者の体内に流すことができる。
【００１９】
ここで、ＤＮＳ変調波とは、第１周波数と第１周波数より低い第２周波数との間で繰り返し周波数が連続的または段階的に繰り返して変化するパルス信号により、第１周波数より高い第３周波数の搬送波を変調させた変調波をいう。具体的には、ＤＮＳ変調波は、極超長波帯域（ＵＬＦ：Ｕｌｔｒａ  Ｌｏｗ  Ｆｒｅｑｕｅｎｃｙ，３００Ｈｚ〜３ＫＨｚ）の第１周波数から、極超長波帯域（ＳＬＦ：Ｓｕｐｅｒ  Ｌｏｗ  Ｆｒｅｑｕｅｎｃｙ，３０Ｈｚ〜３００Ｈｚ）の第２周波数への変化が連続的または段階的であり、第２周波数から第１周波数への変化が跳躍的であり、繰り返し周波数が変化する周期を時間経過とともに増大する。
例えば、周波数が４，０００Ｈｚである第３周波数の搬送波の波形を振幅変調させることにより、５０乃至１，０００ＨｚのＤＮＳ変調波としてもよい。これにより、被施術者が表層筋に感じるチクチクした刺激感を軽減させながら、被施術者の神経を介して幅広い部位の筋肉に刺激を与えることが可能となる。
【００２０】
図３に示すように、深層筋刺激装置２は、図１の深層筋刺激装置１の構成に加え、ＤＮＳ変調波出力部１０４と、ＤＮＳ変調波導子２０２ａ及び２０２ｂとをさらに備える。
即ち、深層筋刺激装置２の導子部１２は、正弦波導子２０１ａ及び２０１ｂと、ＤＮＳ変調波導子２０２ａ及び２０２ｂとからなる二対の導子で構成されている。
【００２１】
ＤＮＳ変調波出力部１０４は、ＤＮＳ変調波を出力する。具体的には制御部１０２が、ＤＮＳ変調波出力部１０４にＤＮＳ変調波を出力させる制御を実行することにより、ＤＮＳ変調波が出力される。
ＤＮＳ変調波導子２０２ａ及び２０２ｂは、被施術者の皮膚に接触または着脱可能な状態で貼付される。ＤＮＳ変調波導子２０２ａ及び２０２ｂは、ＤＮＳ変調波出力部１０４から出力されたＤＮＳ変調波を被施術者の体内に流す。
即ち、ＤＮＳ変調波出力部１０４により出力されたＤＮＳ変調波は、ＤＮＳ変調波導子２０２ａ乃至２０２ｂを介して被施術者の身体の神経に流される。なお、上述したように、ＤＮＳ変調波出力部１０４の具体的な機能の構成は、本出願人が保有する特許権に係る特許公報（特許第５４２３９５７号公報）に開示されているとおりである。
【００２２】
このような構成の深層筋刺激装置２によって、正弦波とＤＮＳ変調波とを被施術者の体内に同時に流すことができる。これにより、正弦波による被施術者の深層筋へのアプローチと、ＤＮＳ変調波による被施術者の神経へのアプローチとを同時に行うことができる。このため、深層筋の最大収縮及び筋弛緩による効果や、血流改善効果をさらに高めることができるため、施術時間を短縮させることも可能となる。
【００２３】
（可撓性導子）
次に、図４を参照して、上述した低周波の正弦波を、被施術者の身体内に効率良く流す手法について説明する。
【００２４】
図４は、従来から存在する、被施術者Ｒの身体内に電気的エネルギーを流すための導子３０１ａの外観構成の例を示すイメージ図である。
【００２５】
従来より、被施術者の身体の表面に接触させる部分である導子には金属製の導子が用いられている。例えば、図４に示す導子３０１ａは、金属製の電極３１１に水分を含ませたタオル３１２を巻き付けている。これは、被施術者の皮膚の電気抵抗を少なくし、かつ通電密度を平均化させることによって、電極となる金属部分と被施術者の皮膚との間に電流を流し易くするためである。なお、通常は、食塩水や水道水を浸み込ませた繊維（例えば図４のようなタオル３１２や、ガーゼ、綿等）を金属製の電極に被覆させて施術が行われる。
【００２６】
しかしながら、導子３０１ａの電極３１１は、金属製であり硬いため、たとえタオル３１２等で被覆したとしても、被施術者が痛みを感じてしまうことがある。また、人間の身体の表面は曲線で構成されているのに対し、電極３１１は表面が平面で構成されているため、スムーズに導子を被施術者の身体の表面に密着させることができない。このため、電気的エネルギーの伝導効率が悪くなるという問題点があった。
そこで、被施術者の身体の表面に接触する導子を構成する電極に可撓性を持たせることにより上記問題点を解消することができた。
このような可撓性のある電極を備える導子について、図５を参照して説明する。
【００２７】
図５は、正弦波出力部１０３から出力された正弦波を被施術者Ｒの身体内に流す可撓性導子４０１ａ及び４０１ｂの外観構成の例を示すイメージ図である。
【００２８】
図５に示すように、可撓性導子４０１ａ及び４０１ｂは、可撓性電極４１１と、吸水性部材４１２とによって構成されている。
なお、施術者Ｓは夫々の手に、可撓性導子４０１ａと４０１ｂとの夫々を持ち、これらを被施術者Ｒの皮膚に接触させることによって、正弦波出力部１０３から出力された正弦波を被施術者の体内に流す。
可撓性導子４０１ａ及び４０１ｂを構成する可撓性電極４１１は、全体が導電性かつ可撓性のある素材で構成されている。ここで、可撓性電極４１１は、導電性かつ可撓性のある素材であれば特に限定されないが、本実施形態では導電性を有するゴムが採用されている。電極をこのような構成とすることにより、被施術者Ｒは、痛みを感じることなく楽に施術を受けることができるようになる。
また、可撓性電極４１１を自在に変形させ、被施術者の身体の曲線に合わせてスムーズに密着させることができるため、効率良く身体内に正弦波を流すことが可能となる。また、施術者Ｓにとってみても、施術が容易になるという効果がある。
【００２９】
さらに、可撓性電極４１１は、吸水性部材４１２によって全体が被覆されているため、吸水性部材４１２に所定の水分を含ませて施術することにより、被施術者Ｒの身体内の筋肉に効率良く正弦波を流すことができる。なお、吸水性部材４１２は、従来から用いられているタオル（例えば図４のタオル３１２）等の繊維素材でもよいが、可撓性電極４１１全体を被覆し、水分を長時間含有し続けることができる柔らかい多孔質素材（例えばスポンジ）を採用することもできる。なお、吸水性部材４１２としてスポンジを採用した場合、従来から用いられているタオルに比べ、人肌と接触する部分の感触がソフトであるため、被施術者Ｒはより快適に施術を受けることができる。
【００３０】
（施術者と被施術者との夫々の身体に導子を貼付する深層筋刺激装置）
図１に戻り、正弦波出力部１０３に接続された正弦波導子２０１ａ及び２０１ｂは、通常は一対で構成されており、いずれも被施術者Ｒの身体の表面に接触または貼付させ、正弦波を流すことによって深層筋に刺激を与える。
しかし、一対で構成される正弦波導子の一方を施術者Ｓの足や腕に貼付し、残りの一方を被施術者Ｒの身体の一部に貼付することにより、施術者Ｓの素手を介して被施術者Ｒの身体内に正弦波を流すことができる。このような手法について図６を参照して説明する。
【００３１】
図６は、施術者Ｓと被施術者Ｒとの夫々の身体に導子を貼付する場合の深層筋刺激装置２の外観構成の例を示すイメージ図である。
【００３２】
図６に示すように一対の正弦波導子５０１ａ及び５０１ｂのうち、正弦波導子５０１ａを被施術者Ｒの身体の表面に貼付し、正弦波導子５０１ｂを施術者Ｓの身体の表面に貼付する。そして、施術者Ｓは、被施術者Ｒに対し素手ＳＨでマッサージ等を行う。これにより、施術者Ｓの素手ＳＨを介して被施術者Ｒの身体内に正弦波を流す。図６に示す例では、被施術者Ｒの身体の一部に正弦波導子５０１ａを貼付し、施術者Ｓの足首にベルトＢを用いて正弦波導子５０１ｂを貼付している。
この場合、被施術者Ｒに貼付された正弦波導子５０１ａと、被施術者Ｒの筋肉と、施術者Ｓの素手ＳＨと、施術者Ｓの足首に貼付されている正弦波導子５０１ｂと、が１つの通電回路を形成することとなる。このため、施術者Ｓの素手ＳＨを介して被施術者Ｒの身体内に正弦波を流すことができる。なお、正弦波導子５０１ｂを取り付けたベルトＢを施術者Ｓの足首ではなく腕等の身体の他の部分に巻き付けて施術を行ってもよい。
【００３３】
このように、施術者Ｓの素手ＳＨを介して被施術者Ｒの身体内に正弦波を流すことにより、施術者Ｓの指先から被施術者Ｒの顔面の筋肉など比較的筋肉が浅いデリケートな部分に対する繊細な施術が可能となる。例えば、リンパの流れを施術者Ｓの手技によって活性化させ、被施術者Ｒの身体にとって不要な異物や老廃物を集めて排出を促す施術（リンパドレナージュ）の効果を高めることもできる。
さらに、被施術者Ｒとしては、正弦波導子５０１ａ及び５０１ｂを介して正弦波を受けた場合よりも、施術者Ｓの素手ＳＨの指先を介して正弦波を受けた場合の方が、より快適に施術を受けることができる。
【００３４】
以上、本発明の一実施形態について説明したが、本発明は、上述の実施形態に限定されるものではなく、本発明の目的を達成できる範囲での変形、改良等は本発明に含まれるものである。
【００３５】
例えば、図５に示す可撓性電極４１１は、正弦波出力部１０３に接続されているが、これに限定されない。可撓性電極４１１を、図３に示すＤＮＳ変調波出力１０４に接続させてもよい。
【００３６】
また、図６に示す正弦波導子５０１ａ、５０１ｂには、図５に示す可撓性導子４０１ａ、４０１ｂと同様に、可撓性電極４１１を用いてもよい。
さらに、図６の例では、正弦波出力部１０３に接続された一対の正弦波導子５０１ａ及び５０１ｂが用いられているが、これに限定されない。図３に示すＤＮＳ変調波出力部１０４に接続された一対のＤＮＳ変調波導子２０２ａ及び２０２ｂを用いてもよい。
【００３７】
以上まとめると、本発明が適用される深層筋刺激装置は、次のような構成を取れば足り、各種各様な実施形態を取ることができる。
即ち、本発明が適用される深層筋刺激装置（例えば図３の深層筋刺激装置２）は、
被施術者（例えば図５の被施術者Ｒ）の皮膚に接触可能な導子（例えば図５の可撓性導子４０１ａ及び４０１ｂ）を介して前記被施術者の体内に電気的エネルギー（例えば正弦波）を加えることにより、前記被施術者の身体内部の深層部の筋肉に対し電気的な刺激を与える深層筋刺激装置であって、
ＰＷＭ信号に基づいて、交流電源（例えば図１の交流電源ＡＣ）から供給された前記電気的エネルギーの極性を切り換えるＨブリッジ出力回路（例えば図２のＨブリッジ出力回路Ｈ）と、
前記Ｈブリッジ出力回路から出力された前記電気的エネルギーの波形を波形整形することにより、所定の周波数の波形（例えば正弦波の波形）に変換して出力する波形整形回路（例えば図２の波形整形回路Ｗ）と、
前記波形整形回路によって前記所定の周波数の波形に変換された前記電気的エネルギーを昇圧させる出力トランス回路（例えば図２の出力トランス回路Ｔ）と、
前記被施術者の身体の表面から前記導子を離した際に生じる電圧変動を制御するインピーダンス回路（例えば図２のインピーダンス回路Ｚ）と、
を備える。
これにより、被施術者の深層筋に対し、電気的エネルギーによる十分な刺激を与えることができるため、深層筋の最大収縮及び筋弛緩による効果や、血流改善効果が得られる。
【００３８】
また、前記波形整形回路は、
前記Ｈブリッジ出力回路から出力された前記電気的エネルギーの波形を整形することにより、低周波の正弦波に変換して出力し、
前記出力トランス回路は、
前記波形整形回路によって前記低周波の正弦波に変換された前記電気的エネルギーを昇圧させることができる。
これにより、被施術者の深層筋に対し、低周波の正弦波による十分な刺激を与えることができるため、深層筋の最大収縮及び筋弛緩による効果や、血流改善効果を得ることができる。
【００３９】
また、第１周波数と第１周波数より低い第２周波数との間で繰り返し周波数が連続的または段階的に繰り返して変化するパルス信号により、前記第１周波数より高い第３周波数の搬送波を変調させた変調波（例えばＤＮＳ変調波）を出力し、前記第１周波数から前記第２周波数への変化が連続的または段階的であり、前記第２周波数から前記第１周波数への変化が跳躍的であり、前記繰り返し周波数が変化する周期を時間経過とともに増大させる変調波出力部（例えば図３のＤＮＳ変調波出力部１０４）をさらに備え、
前記正弦波と前記変調波との夫々を、互いに異なる前記導子を介して前記被施術者の体内に同時に流すことができる。
これにより、変調波による被施術者の神経へのアプローチと、正弦波による被施術者の身体内部の深層筋へのアプローチとを同時に行うことができる。このため、深層筋の最大収縮及び筋弛緩による効果や血流改善効果を得られることは勿論のこと、施術時間を短縮させこともできる。
【００４０】
上記目的を達成するため、本発明の一態様の導子は、
電気治療における被施術者の体内に電気的エネルギー（例えば正弦波）を加える際に前記被施術者の身体の表面に接触可能な導子（例えば図５の可撓性導子４０１ａ及び４０１ｂ）であって、
前記被施術者の身体の曲線に合わせて変形自在な可撓性電極（例えば図５の可撓性電極４１１）と、
所定量の水分を含んだ状態で前記可撓性電極の全体を被覆する吸水性部材（例えば図５の吸水性部材４１２）と、
を備える。
これにより、被施術者の身体の曲線に合わせて可撓性電極を自在に変形させながら効率良く身体内に正弦波を流すことが可能となる。また、被施術者は、痛みを感じることなく楽に施術を受けることができるようになる。さらに、施術者にとってみても、施術が容易になるという効果がある。
【００４１】
上記目的を達成するため、本発明の一態様の筋肉刺激装置は、
被施術者（例えば図６の被施術者Ｒ）の皮膚に接触する施術者（例えば図６の施術者Ｓ）の素手（例えば図６の施術者Ｓの素手ＳＨ）を介して前記被施術者の体内に電気的エネルギー（例えば正弦波）を加えることにより、前記被施術者の身体内部の筋肉に対し電気的な刺激を与える筋肉刺激装置であって、
前記被施術者に貼付される第１導子（例えば図６の正弦波導子５０１ａ）と、
前記施術者に貼付される第２導子（例えば図６の正弦波導子５０１ｂ）と、
を備え、
前記第１導子と、前記被施術者の身体内の筋肉と、前記被施術者の身体の表面に接触した状態の前記施術者の素手と、前記第２導子とによって１つの通電回路が形成されるように構成されている。
これにより、施術者の指先から被施術者の顔面の筋肉など比較的筋肉が浅いデリケートな部分に対する繊細な施術が可能となる。また、被施術者としても、導子を介して電気的エネルギーによる刺激を受けるよりも、施術者の指先を介して電気的エネルギーによる刺激を受ける方が、より快適に施術を受けることができる。
【００４２】
また、前記電気的エネルギーは、低周波の正弦波とすることができる。
【符号の説明】
【００４３】
１，２・・・  深層筋刺激装置
１０・・・  電源部
１１・・・  本体部
１２・・・  導子部
１０１・・・  操作部
１０２・・・  出力制御部
１０３・・・  正弦波出力部
１０４・・・  ＤＮＳ変調波出力部
２０１，２０１ａ，２０１ｂ，５０１ａ，５０１ｂ・・・  正弦波導子
２０２・・・  ＤＮＳ変調波導子
３０１・・・  従来からある導子
３１１・・・  金属製の電極
３１２・・・  タオル
４０１ａ，４０１ｂ・・・  可撓性導子
４１１・・・  可撓性電極
４１２・・・  吸水性素材
Ｈ・・・  Ｈブリッジ出力回路
Ｗ・・・  波形整形回路
Ｔ・・・  出力トランス回路
Ｚ・・・  インピーダンス回路
【図１】
2019004938.tif 000003
【図２】
2019004938.tif 000004
【図３】
2019004938.tif 000005
【図４】
2019004938.tif 000006
【図５】
2019004938.tif 000007
【図６】
2019004938.tif 000008